(57)【要約】【課題】  ダビング１０の番組と、コピー・ワンスの番組とが混在して放送されても、問題がないようにコピー制御を行う記録再生装置を得る。【解決手段】  番組記録装置は、番組毎に所定のダビング可能回数が設定されている番組を受信する受信手段と、前記受信手段により受信された所望の番組に対して、前記所望の番組の前後の番組をマージンとして付加して記録媒体に記録する記録手段と、前記所望の番組のダビング可能回数を検出する検出手段と、前記記録媒体に記録された前記所望の番組を、前記検出手段によって検出された回数だけ、ダビング可能に制御するダビング制御手段とを備える。【選択図】      図４
2009267821.tif 000002
【特許請求の範囲】
【請求項１】
番組毎に所定のダビング可能回数が設定されている番組を受信する受信手段と、
前記受信手段により受信された所望の番組に対して、前記所望の番組の前後の番組をマージンとして付加して記録媒体に記録する記録手段と、
前記所望の番組のダビング可能回数を検出する検出手段と、
前記記録媒体に記録された前記所望の番組を、前記検出手段によって検出された回数だけ、ダビング可能に制御するダビング制御手段とを備えたことを特徴とする番組記録装置。
【請求項２】
前記記録手段はタイマー予約録画機能を備えており、
前記所望の番組は前記タイマー予約録画機能によって前記記録媒体に記録されることを特徴とする請求項１記載の番組記録装置。
【請求項３】
９回のダビングおよび最後の１回がムーブを許可するダビング１０の番組を受信する受信手段と、
前記受信手段により受信された所望の番組に対して、前記所望の番組の前後の番組をマージンとして付加して記録媒体に記録する記録手段と、
前記所望の番組のダビング可能回数を検出する検出手段と、
前記９回のダビング時には前記マージンを含まないよう前記所望の番組をダビングするために出力し、前記ムーブ時についてのみ前記マージンを含んだ前記所望の番組をムーブするために出力するダビング制御手段とを備えたことを特徴とする番組記録装置。
【請求項４】
９回のダビングおよび最後の１回がムーブを許可するダビング１０の番組を受信する受信手段と、
前記受信手段により受信された所望の番組に対して、前記所望の番組の前後の番組をマージンとして付加して記録媒体に記録する記録手段と、
前記所望の番組のダビング可能回数を検出する検出手段と、
前記９回のダビング時および前記ムーブ時に、前記マージンを含んだ前記所望の番組をダビングまたはムーブするために出力するダビング制御手段とを備えたことを特徴とする番組記録装置。
【請求項５】
番組毎に所定のダビング可能回数が設定されている番組を受信する受信手段と、
前記受信手段により受信された複数の番組を１つのコンテンツとして記録媒体に記録する記録手段と、
前記１つのコンテンツとして記録される前記複数の番組のダビング可能回数を検出し、一番少ないダビング可能回数を得る検出手段と、
前記１つのコンテンツを、前記検出手段によって検出された回数だけ、ダビング可能に制御するダビング制御手段とを備えたことを特徴とする番組記録装置。
【請求項６】
９回のダビングおよび最後の１回がムーブを許可するダビング１０の番組を受信する受信手段と、
連続した前記ダビング１０の番組を連続して記録するときに、番組毎に異なる録画コンテンツとして記録媒体に記録すると共に、前記ダビング１０の番組がマージンとして残らないよう制御する制御手段とを備えたことを特徴とする番組記録装置。
【発明の詳細な説明】
【技術分野】
【０００１】
この発明は、受信した番組を記録する記録再生装置に関する。
【背景技術】
【０００２】
従来、ダビング対象の番組中にコポーワンス部と、コピーフリー部といったようにコピー制限が異なるような場合のディジタル放送を記録する記録再生装置の処理方法としては、コピー制限がある旨のメッセージを表示させたり（例えば、特許文献１参照）、コピーフリー部のみを抜き出してコピーするものが知られている（例えば、特許文献２参照）。
【特許文献１】特開２００６−３５２４５３号公報
【特許文献２】特開２００７−２１３６６８号公報
【発明の開示】
【発明が解決しようとする課題】
【０００３】
現在、日本のデジタル放送では、コピー・ワンスで番組が放送されている。しかし、今後、いわゆるダビング１０と称されている、９回のダビング（コピー）＋１回のムーブ（合計で１０回のダビング）が可能な放送を行うことが検討されている。
【０００４】
もし、ダビング１０での放送が開始された場合、ダビング１０の番組と、コピー・ワンスの番組とが混在して放送されることになる。この際の問題として、ダビング１０の番組と、コピー・ワンスの番組とをまたいで１つの録画コンテンツを記録したような場合、１つの録画コンテンツ内にコピー・ワンスの番組とダビング１０の番組が両方含まれることとなる。このような場合にコピー制御をどのようにするのかという問題が浮上するが、従来の記録再生装置においてはどのように取り扱うかについては検討されていないという問題があった。
【０００５】
この発明は、ダビング１０の番組が放送開始されても、コピー回数等運用上問題がないようにコピー制御を行う記録再生装置を得ることを目的とする。
【課題を解決するための手段】
【０００６】
上記の目的を達成するために、この発明においては、番組毎に所定のダビング可能回数が設定されている番組を受信する受信手段と、前記受信手段により受信された所望の番組に対して、前記所望の番組の前後の番組をマージンとして付加して記録媒体に記録する記録手段と、前記所望の番組のダビング可能回数を検出する検出手段と、前記記録媒体に記録された前記所望の番組を、前記検出手段によって検出された回数だけ、ダビング可能に制御するダビング制御手段とを備えたことを特徴とする番組記録装置を提供する。
【０００７】
また、上記の目的を達成するために、この発明においては、９回のダビングおよび最後の１回がムーブを許可するダビング１０の番組を受信する受信手段と、前記受信手段により受信された所望の番組に対して、前記所望の番組の前後の番組をマージンとして付加して記録媒体に記録する記録手段と、前記所望の番組のダビング可能回数を検出する検出手段と、前記９回のダビング時には前記マージンを含まないよう前記所望の番組をダビングするために出力し、前記ムーブ時についてのみ前記マージンを含んだ前記所望の番組をムーブするために出力するダビング制御手段とを備えたことを特徴とする番組記録装置を提供する。
【０００８】
また、上記の目的を達成するために、この発明においては、９回のダビングおよび最後の１回がムーブを許可するダビング１０の番組を受信する受信手段と、前記受信手段により受信された所望の番組に対して、前記所望の番組の前後の番組をマージンとして付加して記録媒体に記録する記録手段と、前記所望の番組のダビング可能回数を検出する検出手段と、前記９回のダビング時および前記ムーブ時に、前記マージンを含んだ前記所望の番組をダビングまたはムーブするために出力するダビング制御手段とを備えたことを特徴とする番組記録装置を提供する。
【０００９】
また、上記の目的を達成するために、この発明においては、番組毎に所定のダビング可能回数が設定されている番組を受信する受信手段と、前記受信手段により受信された複数の番組を１つのコンテンツとして記録媒体に記録する記録手段と、前記１つのコンテンツとして記録される前記複数の番組のダビング可能回数を検出し、一番少ないダビング可能回数を得る検出手段と、前記１つのコンテンツを、前記検出手段によって検出された回数だけ、ダビング可能に制御するダビング制御手段とを備えたことを特徴とする番組記録装置を提供する。
【００１０】
また、上記の目的を達成するために、この発明においては、９回のダビングおよび最後の１回がムーブを許可するダビング１０の番組を受信する受信手段と、連続した前記ダビング１０の番組を連続して記録するときに、番組毎に異なる録画コンテンツとして記録媒体に記録すると共に、前記ダビング１０の番組がマージンとして残らないよう制御する制御手段とを備えたことを特徴とする番組記録装置を提供する。
【００１１】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１２】
この発明によれば、ダビング１０の番組と、コピー・ワンスの番組とが混在して放送されても、問題がないようにコピー制御を行う記録再生装置が得られるという効果を得ることができる。
【発明を実施するための最良の形態】
【００１３】
（第１の実施形態）
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１４】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１５】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１６】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１７】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１８】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１９】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００２０】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００２１】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２２】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２３】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２４】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２５】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２６】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２７】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２８】
チューナ２４５ａは、制御部２６１からの制御信号により所望のチャンネルの放送信号を選局し、この選局された放送信号をＰＳＫ（Phase Shift Keying）復調器２４５ｂに出力する。
【００２９】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００３０】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３１】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３２】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３３】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３４】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３５】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３６】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３７】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３８】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３９】
また、字幕放送による字幕を表示するとき、グラフィック処理部２５４は、制御部２６１からの制御による字幕情報に基づき、映像信号上に字幕情報を重畳する処理を行う。
【００４０】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００４１】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４２】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４３】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４４】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４５】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４６】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４７】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４８】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４９】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００５０】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００５１】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００５２】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５３】
次に、上記したように構成されたデジタルテレビジョン放送受信装置１１１の番組記録再生制御について図３以降の図を用いて詳細に説明する。
図３は、例えばタイマー予約により番組１をハードディスク等の記録媒体に記録したときの録画コンテンツを示す図である。
デジタル放送により送られてくるトランスポートストリーム中には、ＴＯＴ（Time Offset Table）の情報が含まれている。このＴＯＴは、ＭＰＥＧ−２  ＴＳ規格にて決められた情報であり、現在の日付、時刻、およびサマータイムの情報が含まれる。ＴＯＴのＰＩＤは０ｘ１４と決まっている。
【００５４】
図３において、ＴＯＴ（Time Offset Table）の時刻から番組が開始されるまで一定時間の遅延（図３に示したＴｓの遅延）が起こりうるので、タイマー予約録画等で、番組単位で録画するためには図３に示す通り、ＴＯＴの前後の一定時間をマージンとしている。図３に示した例では、番組記録開始時刻をＴＯＴの時刻とし、番組記録終了時刻をＴＯＴの時刻＋期間Ｔｅ（Ｔｅの長さとしては、例えば前記一定時間の遅延の最大ありうる長さである４秒間）としている。このように記録することにより、番組１の頭や最後の部分が切れることなく番組を完全に記録することができる。
【００５５】
（コピー回数の判定方法  その１）
次に、図４を用いて記録した番組をダビング（コピー）するときのコピー回数の判定方法（計算方法）について説明する。
図４（ａ）は放送コンテンツであり、番組０、番組１、番組２の時間順で放送が行われる。番組０および番組２は、Copy One Generation（ＣＯＧ）＝１なのでコピー・ワンスの番組であり、番組１はＣＯＧ＝１０なのでダビング１０の番組であることを示している。
【００５６】
図４（ｂ）に示した“録画コンテンツ”は、デジタルテレビジョン放送受信装置１１１がＬＡＮ対応のＨＤＤ１２５に対して、図３に示すようにして番組１をタイマー予約録画したものを示している。
【００５７】
図４（ｂ）の録画コンテンツの頭の部分にはマージンとしてコピー・ワンスの番組０の最後の部分が記録されており、中央の部分にはダビング１０の番組１が記録されており、“録画コンテンツ”の最後の部分にはマージンとしてコピー・ワンスの番組２の頭の部分が記録されている。
【００５８】
このように１つの録画コンテンツには、厳密に言えば複数のコピー制御情報が含まれることになるが、そもそもユーザがタイマー予約録画で記録したかった番組は番組１なので、番組１の前後にマージンとして録画されたコピー・ワンスの番組０および番組２に影響されることなく、ダビング１０の番組１で扱うこととする。
【００５９】
デジタルテレビジョン放送受信装置１１１は、番組１を記録することを目的として、例えばタイマー予約録画にて記録した図４（ｂ）の“録画コンテンツ”を、ＬＡＮ対応のＨＤＤ１２５から他のＬＡＮ対応のＨＤＤ１２７に対してコピーするときには、録画コンテンツの内、マージン部分を省いた範囲（番組１）をコピー回数判定の区間としてコピー回数をカウントするようにする。
【００６０】
（再生出力形式  その１）
図４（ｂ）に示した“録画コンテンツ”を再生するとき、ダビング１０の番組１の前後に付加された部分のコンテンツを再生してしまっても問題ない場合には、図４（ｃ１）に示した“再生出力コンテンツ１”を再生する。図４（ｃ１）の場合には、ダビング１０の番組１の前後に付加されたマージン部分のコピー・ワンスの番組０および番組２についてもコンテンツをデコード処理すると共に、表示装置等へ出力を行う。
【００６１】
この結果、ダビング１０によるコピー制御を実行することができるという効果を得ることができる。
【００６２】
（再生出力形式  その２）
図４（ｂ）に示した“録画コンテンツ”を再生するとき、ダビング１０の番組１の前後に付加された部分のコンテンツを再生してしまっては問題がある場合には、図４（ｃ２）に示した“再生出力コンテンツ２”を再生する。図４（ｃ２）の“再生出力コンテンツ２”の前後が細く記載されているのは、ダビング１０の番組１の前後に付加された部分のコンテンツをデコード処理は行うが、実際には表示装置等へ出力を行わずにダビング１０の番組１の部分のみ出力することを示している。
【００６３】
（ダビング１０の録画コンテンツのダビング（コピー）／ムーブ方法）
デジタルテレビジョン放送受信装置１１１は、図４（ｂ）の“録画コンテンツ”を、ＬＡＮ対応のＨＤＤ１２５から例えばＬＡＮ対応のＨＤＤ１２７に対してコピーした後は、図４（ｂ）に示した“録画コンテンツ”のコピー回数を残り９へ減じる。
【００６４】
図４（ｂ）に示す通りマージン部分を含んで録画した録画コンテンツ（ダビング１０の番組１）のダビング（コピー）／ムーブ方法としては、ダビング１０の番組１の前後に付加された部分のコンテンツをダビングしてしまっては問題がある場合には次のようにする。図４（ｄ１）〜（ｄ１０）に示す通り、マージン部分を省いた状態で９回のダビング（コピー）と、最後の１回のムーブについてはマージン部分を含んだ状態で行うことにより、番組単位で簡単にコピー、ムーブを行うことができる。
【００６５】
図４（ｂ）に示す通りマージン部分を含んで録画した録画コンテンツ（ダビング１０の番組１）のコピー／ムーブ方法としては、ダビング１０の番組１の前後に付加された部分のコンテンツをダビングしてしまっても問題がない場合には次のようにする。図５（ｄ１）〜（ｄ１０）に示す通り、マージン部分を含んだ状態で９回のダビング（コピー）と、最後の１回のムーブを行うことにより、番組単位で簡単にコピー、ムーブを行うことができる。
【００６６】
なお、ダビング（コピー）する場合はＰＭＴのＣＣＩ情報を参照して行い、コピー回数に従って出力する。
以上説明した通り、この発明の第１の実施形態によれば、ダビング１０の番組が放送開始されても、コピー回数等運用上問題がないようにコピー制御を行う記録再生装置が得られるという効果を得ることができる。
【００６７】
更に、出力形式  その２によれば、コピー・ワンスの番組０および番組２を厳格に再生しないようにすることができるという効果を得ることができる。
【００６８】
（第２の実施形態）
この第２の実施形態については、図２迄は第１の実施形態と同様なので説明を省略する。
（コピー回数の判定方法  その２）
図４や図５を用いた第１の実施形態の説明においてはタイマー予約録画の機能を用いて番組１を記録した場合を例として説明したが、ユーザがマニュアル操作により録画をした場合等、番組の途中から録画するような場合もある。また、１つの番組の途中で変わることも考えられる。この第２の実施形態ではこのような場合について説明する。
【００６９】
図６は、このようにユーザがマニュアル操作により録画を行ったときの例を示す図である。
図６（ａ）は放送コンテンツであり、番組０、番組１の時間順で放送が行われる。番組０は、Copy One Generation（ＣＯＧ）＝１なのでコピー・ワンスの番組であり、番組１はＣＯＧ＝１０なのでダビング１０の番組であることを示している。
【００７０】
図６（ｂ）に示した“録画コンテンツ”は、デジタルテレビジョン放送受信装置１１１がＬＡＮ対応のＨＤＤ１２５に対して、録画の機能を用いず、ユーザがマニュアルで番組０から番組１へまたいで記録したコンテンツを示している。
【００７１】
図６（ｂ）の録画コンテンツの前半部分には、例えばコピー・ワンスの１時間長の番組０の後半３０分が記録されており、連続して１時間番組１の前半部分が記録され、録画コンテンツ全体の長さとしては計１時間となっている。
【００７２】
このように１つの図６（ｂ）の録画コンテンツには、複数のコピー制御情報が含まれることになる。この場合ユーザは明らかに番組０と番組１との両方録画することを望んで（目的として）記録しているので、“コピー回数を判定する区間”としてはコピー・ワンスコンテンツの番組０と、ダビング１０コンテンツの番組１の両方が含まれる期間とする。
【００７３】
（再生出力形式）
図６（ｂ）に示した“録画コンテンツ”を再生するとき、ダビング１０の番組１の前後に付加された部分のコンテンツを再生してしまっても問題ない場合には、図６（ｃ）に示した“再生出力コンテンツ”を再生する。図６（ｃ）の場合には、ダビング１０の番組１の前後に付加されたマージン部分のコピー・ワンスの番組０および番組２についてもコンテンツをデコード処理すると共に、表示装置等へ出力を行う。
【００７４】
この第２の実施形態では、この期間内で一番厳しい制限に合わせることにより、厳密に著作権保護を行うことができる。この図６（ｂ）に示した例では、コピー・ワンスの方が、ダビング１０よりも厳しいのでコピー・ワンスに合わせ、図６（ｂ）の録画コンテンツ全体としてはコピー・ワンスとして扱うこととする。
【００７５】
（録画コンテンツのダビング（コピー）／ムーブ方法）
デジタルテレビジョン放送受信装置１１１は、図６（ｂ）の“録画コンテンツ”を、ＬＡＮ対応のＨＤＤ１２５から例えばＬＡＮ対応のＨＤＤ１２７に対してコピーした後は、図６（ｂ）に示した“録画コンテンツ”をコピーネバーに書き換える。
【００７６】
なお、ダビング（コピー）する場合はＰＭＴのＣＣＩ情報を参照して行い、コピー回数に従って出力する。
以上説明した通り、この発明の第２の実施形態によれば、ダビング１０の番組が放送開始されても、コピー回数等運用上問題がないようにコピー制御を行う記録再生装置が得られるという効果を得ることができる。
【００７７】
（第３の実施形態）
（オーバーラップした番組を出力するための方法）
上記第２の実施形態では、連続したコンテンツ（番組０と番組１）を１つの録画コンテンツとしたが、他の方法として、番組毎に異なる録画コンテンツとして記録する方法がある。この第３の実施形態ではこのような記録方法で記録する場合について説明する。
【００７８】
図７（ａ）に示したような連続したダビング１０のコンテンツ（番組０と番組１）を番組単位で録画コンテンツ（例えばファイル）として作成する場合は、図７（ｂ１），（ｂ２）に示す通りマージン部分が重複してしまう。このマージン部分について、例えば図５に示した方法でダビングしてしまうと、マージン部分は最大２０回コピー可能（正確には１８回のダビング（コピー）と、２回のムーブ）が可能となってしまう。
【００７９】
この問題を解決するためには、連続したダビング１０のコンテンツ間で生まれるマージン部分を付加して、一旦番組毎に異なる録画コンテンツ（例えばファイル）として同時録画を行い（図７（ｂ１），（ｂ２））、例えば録画を終了した後の後処理でマージン部分を削除し、図７（ｂ１’），（ｂ２’）に示す通りマージン部分を削除した録画コンテントを生成する。
【００８０】
このように番組毎に異なる録画コンテンツ（例えばファイル）として記録するシステムにおいて、ダビング１０のコンテンツ間のマージン部分については削除したので、マージン部分は最大２０回コピー可能となってしまうという問題を解決することができる。
【００８１】
又は、録画時間、録画チャンネルを参照して録画番組が重複しているという情報、重複時間を予めメモリ等に記憶しておき、ダビングのために出力する際には、重複時間の箇所は出力しないなどの処理を行ってもよい。
【００８２】
以上説明した通り、この発明の第３の実施形態によれば、ダビング１０の番組が放送開始されても、コピー回数等運用上問題がないようにコピー制御を行う記録再生装置が得られるという効果を得ることができる。
【００８３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００８４】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】番組１をハードディスク等の記録媒体に記録したときの録画コンテンツを示す図。
【図４】本発明の第１の実施形態に係るデジタルテレビジョン放送受信装置１１１のコピー動作を説明するための図。
【図５】本発明の第１の実施形態に係るデジタルテレビジョン放送受信装置１１１のコピー動作を説明するための図。
【図６】本発明の第２の実施形態に係るデジタルテレビジョン放送受信装置１１１のコピー動作を説明するための図。
【図７】本発明の第３の実施形態に係るデジタルテレビジョン放送受信装置１１１の番組毎に異なる録画コンテンツとして記録する場合の記録方法を説明するための図。
【符号の説明】
【００８５】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2009267821.tif 000003
【図２】
2009267821.tif 000004
【図３】
2009267821.tif 000005
【図４】
2009267821.tif 000006
【図５】
2009267821.tif 000007
【図６】
2009267821.tif 000008
【図７】
2009267821.tif 000009